(57)【要約】      （修正有）【課題】一目で開口し易くなっている構造が分かり、説明しなくても自主的にその構造を利用することが出来るレジ袋を提供する。【解決手段】レジ袋本体１の２本の縛り部２を互いに左右にずらした構造とする。又、レジ袋本体１の２本の縛り部２の一方の側部に出張り片を設け、他の１本の縛り部２には、左右にずらして側部に出張り片を設けた構造、或いはレジ袋本体１の縛り部２の一方の側部に切欠き部を設け、他方の縛り部２には、左右にずらした切欠き部を設けた構造、または開口端縁１１に切欠き部を左右にずらして設けた構造。【選択図】図１
0003224263.tif 000002
【実用新案登録請求の範囲】
【請求項１】
レジ袋本体（１）の開口端縁（11）には、その中央部で且つ対向する２本の縛り部（２）と、両端部分に一対の手提げ部（３）を有するレジ袋に於いて、２本の前記縛り部（２）を互いに左右にずらしたことを特徴とするレジ袋。
【請求項２】
レジ袋本体（１）の開口端縁（11）には、その中央部で且つ対向する２本の縛り部（２）と、両端部分に一対の手提げ部（３）を有するレジ袋に於いて、１本の前記縛り部（２）の側部に出張り片（４）を設け、他の１本の前記縛り部（２）には、互いに左右にずらして側部に出張り片（４）を設けたことを特徴とするレジ袋。
【請求項３】
レジ袋本体（１）の開口端縁（11）には、その中央部で且つ対向する２本の縛り部（２）と、両端部分に一対の手提げ部（３）を有するレジ袋に於いて、１本の前記縛り部（２）の側部に切欠き部（５）を設け、他の１本の前記縛り部（２）には、互いに左右にずらして側部に切欠き部（５）を設けたことを特徴とするレジ袋。
【請求項４】
レジ袋本体（１）の開口端縁（11）には、その中央部で且つ対向する２本の縛り部（２）と、両端部分に一対の手提げ部（３）を有するレジ袋に於いて、一方の前記開口端縁（11）に切欠き部（５）を設け、他方の前記開口端縁（11）には、互いに左右にずらした切欠き部（５）を設けたことを特徴とするレジ袋。
【考案の詳細な説明】
【技術分野】
【０００１】
本考案は、スーパーマーケットやコンビニエンスストア等で精算後の商品を収納し、持ち帰るためのレジ袋に関する。
【背景技術】
【０００２】
従来のレジ袋は、素材が極めて薄いポリエチレンチューブフィルムで作られているため、入り口が静電気等で密着状態にあり、その入口を開口する際には、指で２枚のフィルムを横にずらして開く必要がある。
レジ袋の内部に購入品を入れる際に、指が乾いていると、上手くずらすことができず、仕方なく指をなめて開口していたが、簡単に開かず、入口を開口するのに手間を要する場合もあった。
【０００３】
このレジ袋の入口を開け易くするための工夫として、実用新案登録第３１１２７２０号には、レジ袋の上部の中央に一辺１ｃｍの＋状の切れ目を入れたレジ袋が開示されている。この使用方法は、切れ目の裏側から指を当て、切れ目を押し広げ、その切片を掴んで開口していた。
【先行技術文献】
【特許文献】
【０００４】
【特許文献１】実用新案登録第３１１２７２０号
【考案の概要】
【考案が解決しようとする課題】
【０００５】
しかしながら、実用新案登録第３１１２７２０号は、レジ袋の上部中央に一辺１ｃｍの＋状の切れ目を入れただけだと、切れ目がどこにあるのか、或いは切れ目が入れられたものなのかが判別しにくいものであった。このため、切れ目に色を付けたり、或いは切れ目位置に印を付ける必要があり、且つ、切れ目を利用して開口させる方法等を記載しなければならなかった。又、切れ目を利用して開口させる方法等を記載しないと、従来のものと勘違いして、開口に手間が掛ってしまう恐れがあった。
【０００６】
本考案は、一目で開口し易くなっている構造が分かり、説明しなくても自主的にその構造を利用することが出来るレジ袋を提供することを目的とする。
【課題を解決するための手段】
【０００７】
本考案は、上記現状に鑑みて成されたものであり、レジ袋本体の開口端縁には、その中央部で且つ対向する２本の縛り部と、両端部分に一対の手提げ部を有するレジ袋に於いて、２本の縛り部を互いに左右にずらした構造とする。
【０００８】
又、レジ袋の２本の縛り部の一方の側部に出張り片を設け、他の１本の縛り部には、互いに左右にずらして側部に出張り片を設けた構造、或いはレジ袋の２本の縛り部の一方の側部に切欠き部を設け、他の１本の縛り部には、互いに左右にずらして側部に切欠き部を設けた構造、または開口端縁に切欠き部を、互いに左右にずらして設けた構造としても良い。
【考案の効果】
【０００９】
請求項１のようにレジ袋本体（１）の開口端縁（11）には、その中央部で且つ対向する２本の縛り部（２）と、両端部分に一対の手提げ部（３）を有するレジ袋に於いて、２本の縛り部（２）を互いに左右にずらしたことにより、一目で開口し易くなっている構造が分かり、説明しなくても自主的にその構造を利用することができるため、誰にでも簡単に開口できる。
【００１０】
請求項２のようにレジ袋本体（１）の開口端縁（11）には、その中央部で且つ対向する２本の縛り部（２）と、両端部分に一対の手提げ部（３）を有するレジ袋に於いて、１本の縛り部（２）の側部に出張り片（４）を設け、他の１本の縛り部（２）には、互いに左右にずらした側部に出張り片（４）を設けたことにより、請求項１と同様な効果が得られる。
【００１１】
請求項３に示すようにレジ袋本体（１）の開口端縁（11）には、その中央部で且つ対向する２本の縛り部（２）と、両端部分に一対の手提げ部（３）を有するレジ袋に於いて、１本の縛り部（２）の側部に切欠き部（５）を設け、他の１本の縛り部（２）には、互いに左右にずらした側部に切欠き部（５）を設けたことにより、請求項１と同様な効果が得られる。
【００１２】
請求項４に示すようにレジ袋本体（１）の開口端縁（11）には、その中央部で且つ対向する２本の縛り部（２）と、両端部分に一対の手提げ部（３）を有するレジ袋に於いて、１方の開口端縁（11）に切欠き部（５）を設け、他方の開口端縁（11）には、互いに左右にずらした切欠き部（５）を設けたことにより、請求項３と同様な効果が得られると共に手提げ部（３）を強く縛っても切れにくいものとなる。
【図面の簡単な説明】
【００１３】
【図１】本実施形態のレジ袋を示す説明図である。
【図２】図１の縛り部を拡大した説明図である。
【図３】本実施形態の縛り部に出張り片を設けた状態を示す説明図である。
【図４】本実施形態の縛り部に切欠き部を設けた状態を示す説明図である。
【図５】本実施形態の開口端部に切欠き部を設けた状態を示す説明図である。
【考案を実施するための形態】
【００１４】
本考案の実施形態を図面に基づいて説明する。（１）は一端が開口した袋状のレジ袋本体であり、該レジ袋本体（１）は長尺なポリエチレンなどの合成樹脂製フィルムを２枚重ねて形成されている。（２）はレジ袋本体（１）の開口端縁（11）の中央部に延出した一対の縛り部であり、２本の縛り部（２）は互いに左右にずらして設けている。つまり、表側の縛り部（２）と、裏側の縛り部（２’）は、互いに左右にずれている（図１、図２参照）。（３）はレジ袋本体（１）の開口端縁（11）の両端部分に互いに対向する位置に延出された一対の手提げ部である。
【００１５】
（４）は縛り部（２）の側部に突設した出張り片であり、これには、表側の縛り部（２）の側部に突設した出張り片（４）と、裏側の縛り部（２’）の側部に突設した出張り片（４’）とがあり、該出張り片（４’）と出張り片（４）は、図３に示すように左右にずらして設けられている。尚、この時、前記縛り部（２）と縛り部（２’）はずれていなくても良い。又、前記出張り片（４），（４’）を側部に設けず、開口端縁（11）に、左右にずらした出張り片（４），（４’）を突設させても良い。
【００１６】
（５）は縛り部（２）の側部に設けた切欠き部であり、これには、表側の縛り部（２）の側部に設けた切欠き部（５）と、裏側の縛り部（２’）の側部に設けた切欠き部（５’）とがあり、該切欠き部（５’）と切欠き部（５）は、図４に示すように左右にずらして設けられている。尚、この時、前記縛り部（２）と縛り部（２’）はずれていなくても良い。
【００１７】
図５は切欠き部（５），（５’）を側部に設けず、開口端縁（11）に左右にずらして切欠き部（５），（５’）を設けたものであり、このように設けると、側部に設けた場合よりも、縛り部（２）を強く縛り付けても切れる恐れがないものとなる。
【００１８】
次に本考案の作用について説明する。先ず始めにレジ袋を開口する場合は、縛り部（２）を見ると、縛り部（２）と縛り部（２’）が、図２に示すようにずれていることが、レジ袋本体（１）の表側からでも、裏側からでも一目で分かるので、そのずれを利用すれば、レジ袋本体（１）が極めて容易に開口できる。この時、縛り部（２）の厚みが、１枚の部分と２枚の部分では、透明度が異なり、一目でずれが分かる。
【００１９】
図３に示すよう縛り部（２）の側部に出張り片（４）を設けた場合は、レジ袋を開口する時に、縛り部（２）を見れば、出張り片（４’）と出張り片（４）が左右にずれ、且つ、厚みが１枚の部分と２枚の部分では、透明度が異なり、一目でその位置が分かるので、レジ袋本体（１）の表側の出張り片（４）と、裏側の出張り片（４’）を摘んで前後にずらすことにより、レジ袋本体（１）が容易に開口できる。
【００２０】
図４に示すよう縛り部（２）の側部に切欠き部（５）を設けた場合や、図５に示すように切欠き部（５）を開口端縁（11）に設けた場合は、レジ袋を開口する時に、切欠き部（５）を見れば、切欠き部（５）と切欠き部（５’）の部分が１枚であるのに対して、他の部分が２枚であり、透明度が異なので、一目でその位置が分かり、上記同様にレジ袋本体（１）の表側の切欠き部（５）と、裏側の切欠き部（５’）を指で摘み、前後にずらすことにより、レジ袋本体（１）が容易に開口できる。
【００２１】
このように本考案品はレジ袋本体（１）に１枚の部分を作ることにより、その部分が、レジ袋本体（１）の表側からでも、裏側からでも厚さの異なる箇所が分かるので、レジ袋本体（１）の開口が容易なものとなる。
【符号の説明】
【００２２】
１  レジ袋本体
11  開口端縁
２，２’  縛り部
３  手提げ部
４，４’  出張り片
５，５’  切欠き部  
【図１】
0003224263.tif 000003
【図２】
0003224263.tif 000004
【図３】
0003224263.tif 000005
【図４】
0003224263.tif 000006
【図５】
0003224263.tif 000007